(57)【要約】【課題】貸し借りが自由であるネットアクセス用記憶媒体により、ネットワーク上のコンテンツにアクセスし、再生や表示等を行うこと。【解決手段】ネットアクセス用記憶媒体１２には、コンテンツのダウンロード・再生の権利が保有されているとして、記憶媒体１２が実店舗から購入された上、ネットワーク３に接続されている任意の再生装置２に挿入接続される場合、記憶媒体１２からは装置２にアクセス情報が読み出された上、装置２よりネットワーク３上に送信されることによって、アクセス先からはネットワーク３を介しアクセス元装置２に該当コンテンツが送信された上、再生されるようにした。【選択図】  図１
2004246612.tif 000002
【特許請求の範囲】
【請求項１】
コンテンツ対応のネットアクセス用記憶媒体が、ネットワークに接続されている任意の再生装置に対し挿入接続される度に、該記憶媒体より上記再生装置にアクセス情報が読み出された上、該再生装置より上記ネットワーク上に送信されることによって、アクセス先からネットワークを介しアクセス元再生装置に該当コンテンツが送信された上、再生されるようにしたネットアクセス方法。
【請求項２】
コンテンツ対応のものとされ、且つネットワークに接続されている任意の再生装置に対し挿入接続される度に、該再生装置に読み出されるアクセス情報が、該再生装置より上記ネットワーク上に送信されることによって、アクセス先からネットワークを介しアクセス元再生装置に該当コンテンツが送信された上、再生されるためのネットアクセス用記憶媒体であって、
アクセス情報が事前記憶される記憶部と、
再生装置と接続されるためのインタフェース部と、
上記記憶部に事前記憶されているアクセス情報を上記インタフェース部を介し上記再生装置に読み出すための制御部と
が少なくとも内蔵されてなるネットアクセス用記憶媒体。
【請求項３】
上記ネットアクセス用記憶媒体より上記再生装置にサーバ・コンテンツのアドレス情報および上記ネットアクセス用記憶媒体の公開鍵情報がアクセス情報として読み出された上、上記再生装置の公開鍵情報とともに該再生装置より上記ネットワーク上に送出される一方、アクセス先としてのサーバでは、キーが乱数により発生された上、該キーは上記公開鍵情報各々により暗号化された状態として、また、上記アドレス情報に対応するコンテンツは上記サーバの記憶装置から検索された上、上記キーにより暗号化された状態として、それぞれアクセス先からネットワークを介しアクセス元再生装置に送信された上、暗号化キーは、上記再生装置の秘密鍵情報、上記アクセス用記憶媒体の秘密鍵情報各々により復号化されることで復元され、該復元されたキーにより暗号化コンテンツは復号化されつつ、再生されるようにした請求項１記載のネットアクセス方法。
【請求項４】
上記アクセス情報は、サーバ・コンテンツのアドレス情報および上記ネットアクセス用記憶媒体の公開鍵情報とされる請求項２記載のネットアクセス用記憶媒体。
【請求項５】
上記再生装置内に記憶装置が存在しない場合、ストリーム受信される暗号化コンテンツは、復元されたキーにより復号化されつつ、ストリーム再生されるようにした請求項３記載のネットアクセス方法。
【請求項６】
上記再生装置内に記憶装置が存在する場合、該記憶装置には、アドレス情報、暗号化キーおよび暗号化コンテンツが組として一旦、格納された後、暗号化キーは復号化されることで復元され、該復元されたキーにより暗号化コンテンツは復号化されることでコンテンツファイルとして得られた上、再生されるようにした請求項３記載のネットアクセス方法。
【請求項７】
請求項６記載のネットアクセス方法において、ネットアクセス用記憶媒体が再生装置に挿入接続されたことに伴い、該再生装置内の記憶装置がアドレス情報により検索されるに際し、既に同一内容のアドレス情報が格納されている場合には、暗号化キーは復号化されることで復元され、該復元されたキーにより暗号化コンテンツは復号化されることでコンテンツファイルとして得られた上、再生されるようにしたネットアクセス方法。
【請求項８】
相互に関連する固有ＩＤ情報が別個に事前設定されてなる対としてのネットアクセス用記憶媒体が、それぞれネットワークに接続されている任意の相異なる通信装置各々に対し挿入接続されるに際しては、該記憶媒体それぞれより上記通信装置各々には固有ＩＤ情報が読み出された上、該通信装置のアドレス情報とともに該通信装置各々より上記ネットワーク上の特定サーバに送信されることによって、該サーバにアドレス情報と該アドレス情報に対応する固有ＩＤ情報とが登録されつつ、該サーバでは、相互に関連する固有ＩＤ情報が対として登録されたことを以って、該固有ＩＤ情報対応のアドレス情報を持つ通信装置間で通信が行われるに際しては、対としてのネットアクセス用記憶媒体各々に共通に事前設定されている秘密鍵情報により、相手方への通信は暗号化された状態として送信される一方、相手からの通信は復号化された状態として受信されるようにしたネットアクセス方法。
【請求項９】
ネットワークに接続されている任意の通信装置に対し挿入接続される度に、該通信装置に読み出される固有ＩＤ情報が、該通信装置のアドレス情報とともに該通信装置より上記ネットワーク上の特定サーバに送信されることによって、該サーバに上記アドレス情報と該アドレス情報に対応する固有ＩＤ情報とが登録されつつ、該サーバでは、相互に関連する固有ＩＤ情報が対として登録されたことを以って、該固有ＩＤ情報対応のアドレス情報を持つ通信装置間で、共通秘密鍵情報による秘匿通信を行わせるためのネットアクセス用記憶媒体であって、
固有ＩＤ情報および共通秘密鍵情報が事前記憶される記憶部と、
通信装置と接続されるためのインタフェース部と、
上記記憶部に事前記憶されている固有ＩＤ情報および共通秘密鍵情報を上記インタフェース部を介し上記通信装置に読み出すための制御部と
が少なくとも内蔵されてなるネットアクセス用記憶媒体。
【発明の詳細な説明】
【０００１】
【発明の属する技術分野】
本発明は、ネットアクセス用記憶媒体が任意の再生装置や通信装置に挿入接続されることで、ネットワークを介しその再生装置に該当コンテンツの送信された上、再生されたり、通信装置間で秘匿通信が行われるようにしたネットアクセス方法、更には、そのネットアクセス用記録媒体自体に関する。
【０００２】
【従来の技術】
既に、インターネット等のネットワークを介し、音楽や映画等のコンテンツをダウンロード販売する方法が提案されたり、あるいはコンテンツが実際にダウンロード販売されているのが実情である。一般に、コンテンツのダウンロードに際しては、利用者による不正コピーや著作権の保護が十分考慮されていなければならないものとなっている。
【０００３】
因みに、特許文献１に記載のデータ転送システムでは、コンテンツデータの転送権利が管理されている。具体的には、データ記録装置（二次記録媒体）側でコンテンツ識別子（コンテンツＩＤ）を記録できない場合でも、データ記録装置側で発生させるコンテンツＩＤ（第２のコンテンツ識別子）を用いて二次記録媒体上のコンテンツデータを識別でき、しかもそれがデータ転送装置（一次記録媒体）側のコンテンツＩＤ（第１のコンテンツ識別子）と対応付けされている。
【０００４】
【特許文献１】
特開２００２―３６６４４１号公報
【０００５】
【発明が解決しようとする課題】
ところで、従来技術に係るコンテンツのダウンロード方法では、ダウンロード要求側（ユーザ側）機器のＩＤに対して、コンテンツの利用を許可することがその基本とされている。したがって、コンテンツをダウンロードし得る権利を他機器に移転するには、「チェックアウト」等の煩瑣な操作が必要とされているばかりか、利用者の誤操作によっては、その権利が消滅してしまう等の不具合があったものである。
【０００６】
また、ダウンロードされるコンテンツは一旦、ローカルな記憶媒体（ハードディスクやメモリカード等）に格納されていることから、その記憶媒体の容量によりダウンロードされ得るコンテンツ総容量が制限されているのが実情である。
【０００７】
更に、ＣＤ（ｃｏｍｐａｃｔ  ｄｉｓｃ）やＤＶＤ（ｄｉｇｉｔａｌ  ｖｉｄｅｏ  ｄｉｓｃ又はｄｉｇｉｔａｌ  ｖｅｒｓａｔｉｌｅ  ｄｉｓｃ）等の物理媒体の場合には、それが実店舗に実際に物の商品として陳列されており、それを見て購入するといったスタイルが採られているが、ネットワーク販売の場合は、実店舗で物を購入するのとは異なり、自己のパーソナルコンピュータ等によりネットワークにアクセスすることにより無形物として購入しなければならなく、したがって、物としての実体感に乏しいことから、その分、購入意欲が殺がれ易いものとなっている。ネットワーク販売の場合にはまた、所有することの満足感を得ることが難しいばかりか、物としての実体がないことから“貸し借り”が行われる際にも、既述の「チェックアウト」等の煩瑣な操作によるか、または不正コピーによらざるを得なかったものである。
【０００８】
更にまた、特定の相手（家族や仕事仲間等）との間で頻度大にして秘匿通信を簡易に行いたい場合があるが、これまでにあっては、専ら「相手のアドレスを指定し、相手毎に異なったパスワードを打つ」等の煩瑣な操作を経る必要があったのが実情である。尤も、その際に必要とされる情報をパーソナルコンピュータに記憶しておく場合には、次回以降、それら操作を不要として秘匿通信を行うことが可能となっている。これにより操作上での不便さは回避可能とされているわけであるが、このような場合でも、秘匿通信を行うための権利を他パーソナルコンピュータに移転することは困難となっているばかりか、そのパーソナルコンピュータが第３者により不正に使用されないよう、厳重に管理する必要があったものである。
【０００９】
本発明の目的は、貸し借りが自由であるネットアクセス用記憶媒体には、コンテンツのダウンロード等や再生の権利が保有されているとして、これが実店舗から購入された上、ネットワークに接続されている任意の再生装置に挿入接続されれば、簡単容易にそのコンテンツがその再生装置にダウンロードされた上、再生され得るネットアクセス方法を提供することにあり、更には、その実施上、必須とされるネットアクセス用記憶媒体を提供することにある。
【００１０】
本発明の他の目的は、対としてのネットアクセス用記憶媒体各々には、秘匿通信の権利が保有されているとして、対としてのネットアクセス用記憶媒体が実店舗から購入された上、ネットワークに接続されている任意の相異なる通信装置に挿入接続されれば、簡単容易にそれら通信装置間で秘匿通信が行われ得るネットアクセス方法を提供することにあり、更には、その実施上、必須とされるネットアクセス用記憶媒体を提供することにある。
【００１１】
【課題を解決するための手段】
本発明のネットアクセス用記憶媒体には、アクセス情報が事前記憶される記憶部と、再生装置と接続されるためのインタフェース部と、上記記憶部に事前記憶されているアクセス情報を上記インタフェース部を介し上記再生装置に読み出すための制御部とが少なくとも内蔵されている。このネットアクセス用記憶媒体自体は、貸し借りが自由とされ、しかも、コンテンツのダウンロード・再生の権利が保有されている。したがって、このネットアクセス用記憶媒体が実店舗から商品として購入された上、ネットワークに接続されている任意の再生装置に挿入接続されれば、簡単容易にそのコンテンツがその再生装置にネットワークからダウンロードされた上、再生され得るものである。
【００１２】
即ち、本発明のネットアクセス方法では、コンテンツ対応のネットアクセス用記憶媒体が、ネットワークに接続されている任意の再生装置に対し挿入接続されれば、該記憶媒体より上記再生装置にアクセス情報が読み出された上、該再生装置より上記ネットワーク上に送信されるが、これに対する応答として、アクセス先からアクセス元再生装置には、ネットワークを介し該当コンテンツが送信されることから、そのコンテンツはそのアクセス元再生装置で容易に再生され得るものである。
【００１３】
【発明の実施の形態】
以下、本発明の一実施の形態を図１から図１２により説明する。
先ず本発明のネットアクセス用記憶媒体（以下、この種のものを単に記憶媒体と称す）について説明すれば、図２にその記憶媒体の商品段階での一具体的パッケージ形態を示す。図示のように、そのパッケージ１内には、本発明の記憶媒体１２が取出し可能として取付けされている一方では、パッケージ１表面にはまた、コンテンツの内容を示すラベル１１が貼付されている。記憶媒体１２は、そのようなパッケージ形態としてユーザにより実店舗から購入されているわけであるが、そのようなパッケージ形態が採られることで、これまでのパッケージメディアとの親和性が十分確保されている。
【００１４】
さて、コンテンツの再生に際しては、記憶媒体１２はパッケージ１内から取り出された上、再生装置に所定に挿入接続されるが、図１にそのコンテンツ再生のための一例でのシステム概要を示す。図示のように、記憶媒体１２はネットワーク３に接続されている任意の再生装置２に挿入接続されるものとなっている。
【００１５】
図１にはまた、記憶媒体１２の内部構成が併せて示されているが、これによる場合、記憶媒体１２には、サーバ・コンテンツのアドレス情報（サーバ４のアドレスと記憶装置５上のコンテンツを一意に識別し得る情報）がコンテンツＩＤとして事前記憶される記憶部１２２と、記憶媒体１２の公開鍵情報および秘密鍵情報が事前記憶される記憶部１２１と、再生装置２と接続されるためのインタフェース部１２４と、記憶部１２１，１２２各々に事前記憶されている各種情報を、記憶媒体１２自体が再生装置２に挿入接続された際に、インタフェース部１２４を介し再生装置２に読み出すための制御部１２３とが少なくとも内蔵されている。
【００１６】
以上のように、記憶部１２１，１２２各々に事前記憶されている各種情報は再生装置２に読み出されているが、それら情報のうち、コンテンツＩＤや記憶媒体１２の公開鍵情報、更には、再生装置２の公開鍵情報はアクセス情報としてネットワーク３に送出されている。コンテンツＩＤは本来的なアクセス情報として機能しているが、それら公開鍵情報は、後述のように、キー暗号化用として用いられている。因みに、記憶媒体１２に別途設けられている記憶部１２５には、記憶媒体１２自体が再生装置２に挿入接続された際に自動的に実行されるプログラムや、補助情報としてのコンテンツ関連情報等が事前記憶されており、再生装置２がネットワーク３に接続されていない場合であっても、その補助情報は再生装置２に付属のディスプレイ７やスピーカ６で表示可能となっている。
【００１７】
さて、記憶媒体１２が再生装置２に挿入接続されれば、コンテンツＩＤで示されるコンテンツが記憶装置５上で検索された上、サーバ４からネットワーク３を介し再生装置２にダウンロードされた上、再生表示されるが、これら一連の処理について説明すれば、以下のようである。
【００１８】
先ず再生装置２内に記憶装置（ハードディスク等）２１が内蔵されない場合での処理フローについて説明すれば、図３（Ａ），（Ｂ）にそれぞれ再生装置２側、サーバ４側の一例での処理フローを示す。これによる場合、記憶媒体１２が（アクセス元）再生装置２に挿入接続されれば、図３（Ａ）に示すように、先ず記憶媒体１２からはコンテンツＩＤが読み出されるが、このコンテンツＩＤは後続して読み出された記憶媒体１２の公開鍵情報Ｎｐ、更には、再生装置２の公開鍵情報Ｈｐとともにネットワーク３を介しサーバ４に送信されるものとなっている（処理３００，３０１）。
【００１９】
それら送信された情報は、図３（Ｂ）に示すように、サーバ４で受信されるが、この受信に伴い、サーバ４では、先ずキー（Ｋｅｙ、鍵）が乱数により発生された上、公開鍵情報Ｎｐ，Ｈｐにより暗号化キーＸが計算される（処理３１０，３１１）。より具体的には、キーを公開鍵情報Ｎｐで暗号化したものを、更に、公開鍵情報Ｈｐで暗号化することで、暗号化キーＸが得られているものである。その後は、コンテンツＩＤにより記憶装置５が検索されることで、コンテンツＩＤに対応するコンテンツが得られた上、上記キーにより暗号化される（処理３１２，３１３）。このようにして得られる暗号化キーＸや暗号化コンテンツＷは、サーバ４からネットワーク３を介しアクセス元再生装置２に送信される（処理３１４）。
【００２０】
図３（Ａ）に示すように、サーバ４からの暗号化キーＸは再生装置２で受信されるが、この暗号化キーＸは、再生装置２、記憶媒体１２それぞれの秘密鍵情報Ｈｓ，Ｎｓにより復号化されることで、元のキーが復元される（処理３０２，３０３）。一方、サーバ４からの暗号化コンテンツＷはストリーム受信されているが、この暗号化コンテンツＷはその復元されたキーにより復号化されつつ、ストリーム再生されるものとなっている（処理３０４，３０５）。
【００２１】
次に、再生装置２内に記憶装置２１が内蔵されている場合での処理フローについて説明すれば、図４（Ａ），（Ｂ）にそれぞれ再生装置２側、サーバ４側の一例での処理フローを示す。これによる場合、記憶媒体１２が（アクセス元）再生装置２に挿入接続されれば、図４（Ａ）に示すように、先ず記憶媒体１２からはコンテンツＩＤが読み出されるが、このコンテンツＩＤにより記憶装置２１が検索される（処理３２０，３２１）。この検索結果から、記憶装置２１上に、既にそのコンテンツＩＤ対応のコンテンツが格納済みか否かが判断されている（処理３２２）。もしも、格納されていないと判断された場合は、コンテンツＩＤは後続して読み出された記憶媒体１２の公開鍵情報Ｎｐ、更には、再生装置２の公開鍵情報Ｈｐとともにネットワーク３を介しサーバ４に送信されるものとなっている（処理３２２，３２３）。
【００２２】
それら送信された情報は、図４（Ｂ）に示すように、サーバ４で受信されるが、この受信に伴い、サーバ４では、先ずキー（Ｋｅｙ、鍵）が乱数により発生された上、公開鍵情報Ｎｐ，Ｈｐにより暗号化キーＸが計算される（処理３１０，３１１）。キーを公開鍵情報Ｎｐで暗号化したものを、更に、公開鍵情報Ｈｐで暗号化することで、暗号化キーＸが得られているものである。その後は、コンテンツＩＤにより記憶装置５が検索されることで、コンテンツＩＤに対応するコンテンツが得られた上、上記キーにより暗号化される（処理３１２，３１３）。このようにして得られる暗号化キーＸや暗号化コンテンツＷは、サーバ４からネットワーク３を介しアクセス元再生装置２に送信される（処理３１４）。
【００２３】
図４（Ａ）に示すように、サーバ４からの暗号化キーＸ、暗号化コンテンツＷは再生装置２で受信されるが、記憶装置２１には、コンテンツＩＤ、暗号化キーおよび暗号化コンテンツが組として一旦、格納された後、暗号化キーは復号化されることで、キーとして復元されるものとなっている（処理３２４〜３２６）。この復元されたキーにより、暗号化コンテンツＷは復号化されることで、コンテンツファイルとして得られた上、再生されているものである（処理３２７，３２８）。なお、コンテンツＩＤによる検索結果から、記憶装置２１上に、既にそのコンテンツＩＤ対応のコンテンツが格納済みであると判断された場合には、即、処理３２６〜３２８が行われるようにすればよい。記憶装置２１上へのコンテンツＩＤ対応のコンテンツの格納に際しては、そのコンテンツは外部へのチェックアウトが不可として格納される。
【００２４】
以上の如くにして、コンテンツがネットワークを介しダウンロードされた上、再生される場合は、たとえ、そのコンテンツのメディア規格が更新されたり、それに新たな情報が付加される場合であっても、規格更新後、あるいは情報付加後のコンテンツであっても、容易にダウンロードされた上、容易に再生され得るものである。
【００２５】
図５はまた、音楽専用再生装置としての構成例を示したものである。専ら音楽のみを再生するには、再生装置２は、図５に示す如くの音楽専用再生装置８として構成され得るというものである。その音楽専用再生装置８上には、複数の記憶媒体１２が同時に挿入接続可能とされているとともに、各種操作ボタン群９が配置されていることから、従来から既に実用化されている多連装ＣＤ再生装置の如くに、順序再生は勿論のこと、ランダム再生が可能となっている。
因みに、記憶媒体によるコンテンツ再生に際しては、再生装置の処理能力（音楽再生能力や映像表示解像度等）に応じて、再生装置へのコンテンツの品質調整をサーバで行うことも考えられる。
【００２６】
以上、記憶媒体によるコンテンツ再生について説明した。次に、記憶媒体による秘匿通信について説明すれば、以下のようである。
即ち、図６に秘匿通信の際に使用される記憶媒体の内部構成を示す。この場合での記憶媒体６０は、あくまでも、実店舗から対（ペア）として購入された上、使用される。換言すれば、記憶媒体６０は同一パッケージ内に２個、取付けされた状態として販売されているものであり、図６は、そのうちの１個の内部構成を示したものである。
【００２７】
図示のように、その記憶媒体６０には、固有ＩＤ情報が事前記憶される記憶部６０２と、秘密鍵情報が事前記憶される記憶部６０１と、通信装置と接続されるためのインタフェース部６０４と、記憶部６０１，６０２に事前記憶されている固有ＩＤ情報および共通秘密鍵情報を、インタフェース部６０４を介し上記通信装置に読み出すための制御部６０３とが少なくとも内蔵されている。この記憶媒体６０と、対とされている他の記憶媒体とはその物理的構成は同一とされているが、固有ＩＤ情報が相互に関連した状態として、しかも、相異なる状態として事前記憶されていることのみが異なっている。したがって、暗復号化用の秘密鍵情報は同一として事前記憶されている。
【００２８】
図７はまた、その秘匿通信のための一例でのシステム概要を示す。図示のように、任意の２つの通信装置７１，７０は、そのＩＰアドレスがそれぞれ「４３．２７．１０１．１」、「４３．２７．１０１．２５」であるとして、ネットワーク（具体的には、インターネット）７２を介し通信可能とされている。ここで、例えば通信装置７１に固有ＩＤ情報「９５０６−１」が事前記憶された記憶媒体が、また、通信装置７０に固有ＩＤ情報「９５０６−２」が事前記憶された記憶媒体が、それぞれ挿入接続されたとすれば、それら固有ＩＤ情報「９５０６−１」，「９５０６−２」が通信装置７１，７０に読み出された上、ＩＰアドレス「４３．２７．１０１．１」，「４３．２７．１０１．２５」とともにネットワーク７２、ゲートキーパー（ネットワーク上のディレクトリサーバ）７３を介し管理テーブル７４上に収集登録される。ゲートキーパー７３では、対としての固有ＩＤ情報群が予め知れていることから、管理テーブル７４上に対としての固有ＩＤ情報「９５０６−１」，「９５０６−２」がともに登録されたことを以って、ゲートキーパー７３から、ＩＰアドレス「４３．２７．１０１．１」，「４３．２７．１０１．２５」に係る通信装置７１，７０各々には通信開始が依頼されることで、これら通信装置７１，７０間で秘密鍵情報による秘匿通信が行われているものである。
【００２９】
図８に、記憶媒体の挿入接続から秘匿通信までの概要処理フロー例を示す。これによる場合、通信装置７１，７０それぞれに対しては、対とされている記憶媒体が互いに独立した状態として挿入接続される（処理８００，８２０）。この挿入接続に伴い、それら記憶媒体からは固有ＩＤ情報が通信装置７１，７０に読み出されるが、これら固有ＩＤ情報は、通信装置７１，７０各々のＩＰアドレスとともにゲートキーパーに登録要求として送信される（処理８０１，８２１）。その後は、相手からの通信要求待ち状態におかれる（処理８０２，８２２）。
【００３０】
一方、ゲートキーパーでは、通信装置７１，７０各々からの固有ＩＤ情報、ＩＰアドレスは組として登録された上、対としての固有ＩＤ情報「９５０６−１」，「９５０６−２」がともに登録済みか否かが判定される（処理８１２）。ともに登録済みであることの確認を待って、通信を開始させるべく、通信装置７１，７０それぞれには互いのＩＰアドレスが通知されているものである（処理８１３）。
【００３１】
さて、通信要求待ち状態にある通信装置７１，７０に対し、ゲートキーパーからＩＰアドレスが通知された場合、通信装置７１，７０間で相互認証が行われた上、通信装置７１，７０間での秘匿通信が双方向に行われる（処理８０４，８２４）。通信装置７１，７０間での秘匿通信に際しては、対としての記憶媒体各々に共通に事前設定されている秘密鍵情報により、相手方への通信は暗号化された状態として送信される一方、相手からの通信は復号化された状態として受信されているものである。
【００３２】
ところで、以上の例では、特定の相手との間での秘匿通信が考慮されているが、ゲートキーパーによる介在下に、ユーザが複数の通信装置を使い分けている場合（家庭とオフィス、モバイル機器とデスクトップパーソナルコンピュータ等）であっても、先の場合と同様にして、記憶媒体が挿入接続された通信装置間での相互通信が可能となっている。図９に示すように、ユーザが各種通信装置９１〜９４を所有している場合に、例えばモバイル用通信装置９２と家庭内通信装置９３との間でネットワーク（図示せず）通信を行う場合を想定した場合、家庭内通信装置９３には記憶媒体を連続的に挿入接続しておく一方、モバイル用通信装置９２には、必要に応じて、その都度、記憶媒体が挿入接続されるようにすれば、それら通信装置９２，９３間で相互通信を行い得るものである。ゲートキーパー９０には、家庭内通信装置９３のＩＰアドレス「４３．５７．９０．４３」と記憶媒体からの固有ＩＤ情報「９５０６−１」とが先行して登録されるが、その後、必要に応じて、モバイル用通信装置９２のＩＰアドレス「４３．２７．１０１．２５」と記憶媒体からの固有ＩＤ情報「９５０６−２」とが登録されることによって、それら通信装置９２，９３間での相互通信が可能とされているものである。
【００３３】
更に、インスタントメッセージ専用端末による相互通信の例を図１０に示す。図示のように、インスタントメッセージ専用端末１００１〜１００３各々は、例えば画像表示部１００１１、撮像部１００１２、（複数の）挿入接続補助スタンド１００１３および（挿入接続補助スタンド対応）ＬＥＤ付タッチスイッチ１００１４から構成された上、ネットワーク１０００上のゲートキーパー（図示せず）による介在制御下に、ネットワーク１０００を介し相互通信が可能とされているが、この相互通信を可能ならしめるには、図６に示すような記憶媒体が対として購入される必要がある。例えば友人同士で１対の記憶媒体が購入された上、挿入接続補助スタンド１００１３を介し、何れか２つのインスタントメッセージ専用端末に挿入接続されるようになっている。
【００３４】
ここで、例えば、先ずインスタントメッセージ専用端末１００１に対としての一方の記憶媒体１００４が挿入接続された後、インスタントメッセージ専用端末１００２に他方の記憶媒体１００５が挿入接続される場合の一例での動作について説明すれば、以下のようである。
即ち、記憶媒体１００５が挿入接続された時点で、ゲートキーパーによる制御下に、インスタントメッセージ専用端末１００１では、ＬＥＤ付タッチスイッチ１００１４のＬＥＤが点滅状態におかれる。この点滅状態に促され、そのＬＥＤ付タッチスイッチ１００１４が押下されれば、ゲートキーパーによる制御下に、インスタントメッセージ専用端末１００１，１００２間での相互通信が開始されているものである。その相互通信の間、インスタントメッセージ専用端末１００１，１００２各々においては、ＬＥＤ付タッチスイッチ１００１４のＬＥＤはともに点灯状態におかれる。
【００３５】
更にまた、記憶媒体を、アクセス権が必要なネットワークコンテンツへの鍵として利用することも考えられる。例えば図１１に示すように、オフィス内の通信装置１１００からネットワーク１１０１を介し、自宅内に設置のビデオデッキ１１０２に対し番組録画予約を行う場合を考える。先ず番組録画予約用の記憶媒体をビデオデッキ１１０２に挿入して、これに秘密鍵やネットワークアドレス（ＩＰアドレス等）を書込むようにする。その後、その記憶媒体は通信装置１１００に挿入接続補助スタンド１１００２を介し挿入接続される。これにより通信装置１１００はその記憶媒体よりネットワークアドレスを読み取って、ビデオデッキ１１０２にアクセスするが、その際に、事前設定されている秘密鍵によってビデオデッキｋ１１０２との秘密通信を開始することが可能となり、画像表示部１１００１は自動的にビデオ制御画面に切替表示されることで、この画面上でビデオデッキ１１０２への番組録画予約を行い得るものである。番組録画予約は以上のようであるが、ウェブカメラへのアクセスの場合には、ウェブカメラ対応の記憶媒体が挿入接続されればよいし、ホームサーバでも同様にして、記憶媒体が挿入された外部機器からのみアクセスを許すように構成することができる。
【００３６】
ところで、記憶媒体自体の形状をキャラクター風にアレンジすることが考えられる。図１２に示すように、記憶媒体１２はキャラクター風にアレンジされているが、このようにアレンジされることで、コンテンツに対する実体感がより強調されるばかりか、そのコンテンツへの親しみ易さが効果的に演出されることになる。因みに、図１２に示す例では、記憶媒体１２は単にキャラクター風にアレンジされている場合もあれば、そのようなアレンジに加え、例えば相手側からの操作によって、キャラクター自体がその内臓超小型モータにより簡単な動作を行い得るようにされている。
【００３７】
以上、本発明者によってなされた発明を実施の形態に基き具体的に説明したが、本発明は上記実施の形態に限定されるものではなく、その要旨を逸脱しない範囲内で種々変更可能であることはいうまでもない。
【００３８】
【発明の効果】
貸し借りが自由であるネットアクセス用記憶媒体には、コンテンツのダウンロード・再生の権利が保有されているとして、これが実店舗から購入された上、ネットワークに接続されている任意の再生装置に挿入接続されれば、簡単容易にそのコンテンツがその再生装置にダウンロードされた上、再生され得るネットアクセス方法が提供され得、更には、その実施上、必須とされるネットアクセス用記憶媒体が提供される。
【００３９】
対としてのネットアクセス用記憶媒体各々には、秘匿通信の権利が保有されているとして、対としてのネットアクセス用記憶媒体が実店舗から購入された上、ネットワークに接続されている任意の相異なる通信装置に挿入接続されれば、簡単容易にそれら通信装置間で秘匿通信が行われ得るネットアクセス方法が提供され得、更には、その実施上、必須とされるネットアクセス用記憶媒体が提供される。
【図面の簡単な説明】
【図１】コンテンツ再生のための一例でのシステム概要を示す図である。
【図２】本発明のネットアクセス用記憶媒体の商品段階での一具体的パッケージ形態を示す図である。
【図３】再生装置内に記憶装置が内蔵されない場合での再生装置側、サーバ側の一例での処理フローを示す図である。
【図４】再生装置内に記憶装置が内蔵されている場合での再生装置側、サーバ側の一例での処理フローを示す図である。
【図５】音楽専用再生装置としての構成例を示す図である。
【図６】秘匿通信の際に使用される記憶媒体の内部構成を示す図である。
【図７】その秘匿通信のための一例でのシステム概要を示す図である。
【図８】記憶媒体の挿入接続から秘匿通信までの概要処理フロー例を示す図である。
【図９】ユーザが複数の通信装置を使い分けている場合での秘匿通信を説明するための図である。
【図１０】インスタントメッセージ専用端末による相互通信の例を示す図である。
【図１１】記憶媒体による番組録画予約例を示す図である。
【図１２】記憶媒体のキャラクター風アレンジ例を示す図である。
【符号の説明】
１…（ネットアクセス用記憶媒体の商品段階での一具体的）パッケージ、２…再生装置、５，２１…記憶装置、３，７２…ネットワーク、４…サーバ、１２，６０…ネットアクセス用記憶媒体、７１，７０…通信装置、７３…ゲートキーパー、７４…管理テーブル
【図１】
2004246612.tif 000003
【図２】
2004246612.tif 000004
【図３】
2004246612.tif 000005
【図４】
2004246612.tif 000006
【図５】
2004246612.tif 000007
【図６】
2004246612.tif 000008
【図７】
2004246612.tif 000009
【図８】
2004246612.tif 000010
【図９】
2004246612.tif 000011
【図１０】
2004246612.tif 000012
【図１１】
2004246612.tif 000013
【図１２】
2004246612.tif 000014